【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】  支え材の装着器具において、
第一及び第二のアンカー伸長部の各々が、少なくとも１つの基端、及び、骨構造体に固着される対応するアンカーを有する取り付けのための少なくとも１つの末端を有する、第一及び第二のアンカー伸長部と、
基端及び末端を有する枢動支え材挿入器であって、前記アンカー伸長部の基端に隣接して取り付けられた支持アーム、及び、該挿入器の末端にて支え材取り付け部分まで延びている枢動アームを有し、前記アンカーに対して枢動軸の周りを枢動可能な前記枢動支え材挿入器とを備える、支え材装着器具。
【請求項２】  前記アンカー伸長部の各々が前記アンカーの対応する１つに枢動可能に取り付けられ、前記枢動支え材挿入器が前記支持アームに枢動可能に固着されている、請求項１に記載の支え材の装着器具。
【請求項３】  前記支持アームの各々が、前記アンカー伸長部の対応する１つに枢動可能に固着されている、請求項１に記載の支え材の装着器具。
【請求項４】  前記アンカー伸長部が、その基端に隣接して互いに連結されている、請求項３に記載の支え材の装着器具。
【請求項５】  前記枢動支え材挿入器が、前記支持アームの間に配設されている、請求項１に記載の支え材の装着器具。
【請求項６】  前記支え材取り付け部分が前記枢動の軸から所定の半径の位置に配設され、前記支え材取り付け部分に配設された支え材が、前記枢動の軸に対して略一定の半径にて前記支え材取り付け部分から延びる、請求項１に記載の支え材の装着器具。
【請求項７】  支え材を把持し且つ支え材を挿入器から解放するように選択的に作用可能である支え材カプラーを更に備える、請求項１に記載の支え材の装着器具。
【請求項８】  前記支え材が円形のロッドである、請求項７に記載の支え材の装着器具。
【請求項９】  前記支え材が２つの端部を有し、一の端部が前記支え材カプラーに接続可能であり、他の端部が動物の体の柔軟な組織を穿刺し得るように構成され、前記支え材が一の面内において前記枢動の軸に対して一の半径にて湾曲している、請求項７に記載の支え材の装着器具。
【請求項１０】  前記枢動支え材挿入器が前記半径の前記枢動の軸上に中心がある円内に位置する湾曲部分を有し、前記支え材が、前記支え材カプラーに接続されたとき、その円内に位置するように配向されている、請求項９に記載の支え材の装着器具。
【請求項１１】  前記支え材が、前記枢動の軸に対して平行な方向に最大寸法を有し、
前記湾曲部分が、前記枢動の軸に対して平行な方向の前記支え材の最大寸法の２倍以上の最大寸法を有するようテーパーが付けられており、
これによって、支え材の配置の間、前記枢動の軸の周りの前記円弧の前記支え材の背後に移動するとき、前記湾曲部分が柔軟な組織を貫通するのを容易にする、請求項１０に記載の支え材の装着器具。
【請求項１２】  前記支え材の前記末端が尖っており、動物の皮及び柔軟な組織を穿刺することが容易である、請求項９に記載の支え材の装着器具。
【請求項１３】  各前記アンカーが多軸ねじを有しており、前記アンカー伸長部が前記多軸ねじに枢動可能且つ回転可能に取り付けられている、請求項１に記載の支え材の装着器具。
【請求項１４】  動物の被検者にて外科的方法を行うときに使用される装置において、
動物の被検者に固着された一対のアンカーと、
前記一対のアンカーに取り付けられた装着器具であって、前記対のアンカーに対して一定の幾何学的関係にて可動である前記装着器具と、
該装着器具に接続された接続要素であって、前記装着器具により前記一対のアンカーにより近接する位置まで移動される前記接続要素とを備える、装置。
【請求項１５】  前記接続要素が前記位置まで経皮的に移動される、請求項１４に記載の装置。
【請求項１６】  前記装着器具が皮膚の外に取り付けられている、請求項１４に記載の装置。
【請求項１７】  前記アンカーが夫々、動物の被検者の骨構造体に係合している、請求項１４に記載の装置。
【請求項１８】  前記骨構造体が椎骨体である、請求項１７に記載の装置。
【請求項１９】  前記装着器具が前記一対のアンカーの対応する１つに取り付けられている一対のアンカー伸長部を有する、請求項１４に記載の装置。
【請求項２０】  前記装着器具が前記一対のアンカーの対応する１つに連結されている一対の支持アームを有する、請求項１９に記載の装置。
【請求項２１】  前記支持アームが前記アンカー伸長部に対して枢動可能に連結されている、請求項２０に記載の装置。
【請求項２２】  前記装置は前記支持アームの間で伸びるクランプ止めバーを有し、前記クランプ止めバーが前記支持アームの間で前記アンカー伸長部を解放可能にクランプ止めをしている、請求項２１に記載の装置。
【請求項２３】  前記装着器具が枢動する挿入器を有し、前記挿入器が前記支持アームに枢動可能に連結されている、請求項２０に記載の装置。
【請求項２４】  前記アンカーが夫々通路を有し、前記接続要素が前記通路内に移動される、請求項１４に記載の装置。
【請求項２５】  前記アンカーが夫々前記通路内の前記接続要素を前記アンカーに固定するための止めねじを有する、請求項２４に記載の装置。
【請求項２６】  各前記止めねじが前記挿入器具に解放可能に固定されている、請求項２５に記載の装置。
【請求項２７】  前記アンカーが多軸骨ねじである、請求項１４に記載の装置。
【請求項２８】  前記挿入器具が円弧に沿って前記接続要素を移動する、請求項１４に記載の装置。
【請求項２９】  前記円弧の湾曲の中心が前記挿入器具の枢動軸によって画定されている、請求項２８に記載の装置。
【請求項３０】  動物の被検者にて外科的方法を行うときに使用される装置において、
動物の被検者に固着された一対のアンカーと、
該対のアンカーに取り付けられた装着器具であって、前記一対のアンカーに対して一定の空間的関係にある枢動軸を有する前記装着器具と、
該装着器具に接続された接続要素とを備え、前記装着器具が前記枢動軸の周りで回転し、前記接続要素を前記対のアンカーに対する所望の位置まで案内する、装置。
【請求項３１】  前記接続要素が前記装着器具から前記枢動軸に対して略一定の半径にて湾曲するよう延びている、請求項３０に記載の装置。
【請求項３２】  前記装着器具が前記接続要素を選択的に接続したり前記接続要素を前記装着器具から解放するよう操作できるカプラーを更に備える、請求項３０に記載の装置。
【請求項３３】  前記接続要素が割り出されている、請求項３２に記載の装置。
【請求項３４】  前記装着器具が一対のアンカー伸長部を有し、各アンカー伸長部が前記一対のアンカーのうちの対応する１つに取り付けられている、請求項３０に記載の装置。
【請求項３５】  前記装着器具が一対の支持アームを有し、各支持アームが前記アンカー伸長部のうちの対応する１つに取り付けられている、請求項３４に記載の装置。
【請求項３６】  前記支持アームが前記アンカー伸長部のうちの対応する１つに取り付けられている、請求項３５に記載の装置。
【請求項３７】  前記装着器具が前記支持アームに対して枢動自在に連結された枢動挿入器を有する、請求項３５に記載の装置。
【請求項３８】  各前記アンカーが通路を有し、前記接続要素が所望位置にあるとき通路を通って延びる、請求項３０に記載の装置。
【請求項３９】  各前記アンカーがコネクタに枢動自在に取り付けられている骨ねじを有し、前記通路が前記コネクタを通って形成されている、請求項３８に記載の装置。
【請求項４０】  動物の被検者にて外科的方法を行うときに使用される装置において、
支え材に接続された装着器具を備え、該支え材が、該支え材を前記装着器具に対して所定の関係にて接続する割り出した部分を有する、装置。
【請求項４１】  前記支え材が前記動物の被検者に固定された少なくとも１つのアンカーに接続可能である、請求項４０に記載の装置。
【請求項４２】  前記支え材が前記装着器具に連結されたとき前記装着器具に対して動かすことができない、請求項４０に記載の装置。
【請求項４３】  前記装着器具が末端を有する支え材挿入器を有し、前記支え材の割り出した部分が前記支え材挿入器の末端に連結されている、請求項４０に記載の装置。
【請求項４４】  前記挿入器具が前記末端から前記基端までの基端方向へ延びる湾曲部分であって、前記湾曲部分に沿って形成された支え材カプラーを受け入れるための通路を有する湾曲部分を有し、前記支え材カプラーが前記支え材挿入器に固定された前記支え材の反対側の基端を有し、前記支え材カプラーが前記支え材挿入器の前記湾曲部分に固定されたピンによって前記通路内に枢動自在に取り付けられた末端において支え材グリッパを有し、前記支え材カプラーが前記支え材を把持し且つその支え材を前記支え材挿入器から解放するように選択的に作用可能である、請求項４３に記載の装置。
【請求項４５】  前記支え材カプラーが、前記支え材グリッパからナットを通って前記湾曲部分の基端において止めねじまで基端方向へ延びている細長い可撓性部材有する、請求項４４に記載の装置。
【請求項４６】  前記湾曲部分が、前記支え材を受け入れるための支え材受け入れ開口部を前記末端において有している、請求項４５に記載の装置。
【請求項４７】  前記湾曲部分が、前記支え材受け入れ開口部を通って延びている停止ピンを有している、請求項４６に記載の装置。
【請求項４８】  前記支え材は凹部が形成された接続端部を有し、前記凹部が基端壁及び末端壁を有し、前記停止ピンが前記末端壁に接触し前記支え材が前記支え材受け入れ開口部内に挿入される深さを制限する、請求項４７に記載の装置。
【請求項４９】  前記支え材グリッパが、前記凹部内に配置されるとともに前記凹部の基端壁に接触して前記支え材を前記枢動アームに連結する歯を有している、請求項４８に記載の装置。
【請求項５０】  前記割り出した部分が前記支え材の第一の端部にあり、前記支え材が対向する第二の端部であって経皮的挿入に適応した第二の端部を有している、請求項４０に記載の装置。
【請求項５１】  前記装着器具が予め決められた経路に沿って可動であり、前記支え材が前記経路に沿った配向状態となるように割り出される、請求項４０に記載の装置。
【請求項５２】  前記経路が、前記装着器具の枢動軸によって決定される所定の半径を有している、請求項５１に記載の装置。
【請求項５３】  支え材の装着器具において、
各々が骨構造体に固着可能なアンカーにより取り付けるため少なくとも１つの基端及び少なくとも１つの末端を有する第一及び第二のアンカー伸長部と、
基端及び末端を有する支え材挿入器であって、前記アンカー伸長部の前記基端にて前記第一及び第二のアンカー伸長部に取り付けられ、枢動軸の周りで可動である前記支え材挿入器と、
該支え材挿入器の前記末端に解放可能に接続された支え材とを備える、支え材の装着器具。
【請求項５４】  前記支え材挿入器が、前記支え材を受け入れる支え材取り付け部分を末端に有するアームを有している、請求項５３に記載の装置。
【請求項５５】  前記支え材挿入器が、前記アンカー伸長部のうち対応する一つに取り付けられた一対の支持アームを有している、請求項５３に記載の装置。
【請求項５６】  前記支持アームが、前記アンカー伸長部に枢動可能に取り付けられている、請求項５５に記載の装置。
【請求項５７】  前記支え材挿入器が、前記支持アームに枢動可能に取り付けられた枢動アームを有している、請求項５５に記載の装置。
【請求項５８】  動物の被検者にて外科的方法を行うときに使用される装置において、
動物の被検者に固着された少なくとも１つのアンカーであって、破断部分を有する止めねじを有する前記少なくとも１つのアンカーと、
該アンカー上に取り付けられ、支え材を該アンカーに対して配置し得るように可動であり、前記破断部分が前記止めねじから分離したとき、前記アンカーから解放される器具とを備える、装置。
【請求項５９】  前記器具が、前記止めねじの破断部分までのアクセスを提供する器具ボアを有している、請求項５８に記載の装置。
【請求項６０】  前記少なくとも１つのアンカーが、コネクタ内に枢動可能に取り付けられた前記動物の被検者に係合している骨ねじを有し、前記止めねじが、前記コネクタ内に螺入的に受け入れらている、請求項５８に記載の装置。
【請求項６１】  前記アンカーが、前記骨ねじと前記止めねじとの間の前記コネクタ
を通る通路を有し、前記器具が、前記支え材を前記通路内に位置決めするように可動である、請求項６０に記載の装置。
【請求項６２】  前記止めねじが、前記コネクタの通路内に螺入されて、前記破断部分が前記止めねじから分離する前に、前記支え材を前記アンカーに固着する、請求項６１に記載の装置。
【請求項６３】  前記器具が、前記装着器具が前記枢動軸の周りで回転し、前記支え材を前記通路内に位置決めする、請求項６１に記載の装置。
【請求項６４】  前記装置が、前記動物の被検者に固着された第二のアンカーであって、破断部分を有する第二の止めねじを有する前記第二のアンカーを更に備え、前記器具が、該第二のアンカー上に取り付けられ、前記支え材を前記アンカー及び該第二のアンカーに対して配置し得るように可動であり、前記破断部分が前記第二の止めねじから分離したとき、前記第二のアンカーから解放される、請求項５８に記載の装置。
【請求項６５】  前記アンカー及び前記第二のアンカーの夫々が、コネクタ内に枢動可能に取り付けられた前記動物の被検者に係合している骨ねじを有し、前記止めねじが、前記コネクタ内に螺入的に受け入れらている、請求項６４に記載の装置。
【請求項６６】  前記アンカー及び前記第二のアンカーの夫々が、前記骨ねじと前記止めねじとの間の前記コネクタを通る通路を有し、前記器具が、前記支え材を前記コネクタの前記通路内に位置決めするように可動である、請求項６５に記載の装置。
【請求項６７】  前記器具が、前記装着器具が前記枢動軸の周りで回転し、前記支え材を前記アンカー及び前記第二のアンカーの前記通路内に位置決めする、請求項６６に記載の装置。
【請求項６８】  前記止めねじが、前記コネクタの通路内に螺入されて、前記破断部分が前記止めねじから分離する前に、前記支え材を２つの前記アンカーに固着する、請求項６７に記載の装置。